(57)【特許請求の範囲】
【請求項１】
下記の要件を備えたことを特徴とする旋回装置。
（イ）基板と、基板に回動自在に設けられた回転ケースとからなること。
（ロ）基板には太陽歯車が固定して設けられていること。
（ハ）回転ケースには、基板に固定して設けられた太陽歯車と噛み合う遊星歯車と、遊星歯車を回転させる駆動モータと、駆動モータに電気を供給する電源部と、駆動モータの駆動・停止を制御するスイッチと、スイッチを操作する操作手段とが設けられていること。
（ニ）さらに回転ケースには、旋回体を吊り下げる一対の吊り下げ部材が設けられていること。
（ホ）一方の吊り下げ部材は、旋回体の前部に連結され、他方の吊り下げ部材は、旋回体の後部に連結されており、旋回体が略水平に吊り下げられていること。
（ヘ）一方又は他方の吊り下げ部材が操作手段に連結されていること。
【発明の詳細な説明】
【０００１】
【発明の属する技術分野】
本願発明は、旋回体を吊り下げ部材で吊り下げてから旋回させる旋回装置に関する。
【０００２】
【従来の技術】
従来の旋回装置は、実公昭５８−６４７５号公報に記載されているように、基台と、基台に回動自在に設けられた回転部材と、制御部とからなる。基台には、回転部材を回転する駆動モータと、駆動モータに電気を供給する電源部が設けられている。制御部は、基台から離して設けられ、スイッチを有し、このスイッチと駆動モータが電線によって接続されている。回転部材は、複数の紐部材が吊り下げられ、この紐部材の先端に旋回体が取り付けられている。この旋回体は、飛行体に限らず、人形体であっても構わない。
【０００３】
この従来の旋回装置は、基台が天井等の高い所に取り付けられ、制御部のスイッチをＯＮにすると駆動モータが駆動して回転部材が回り出し、回転部材に紐部材によって吊り下げられている旋回体が旋回し、制御部のスイッチをＯＦＦにすると駆動モータが停止して回転部材の回転が止まるようになっていた。
【０００４】
【発明が解決しようとする課題】
上記従来の旋回装置は、基台とは別にスイッチを有する制御部を設けなければならず、その制御部の取り付け等が面倒であり、さらに部品点数が多いので高価であるという問題点があった。また、基台に直接制御部を設けると、基台を天井等の高い位置に取り付けるので、操作が難しいという問題点があった。
【０００５】
本願発明は、上記問題点に鑑み発明されたものであって、回転ケースにスイッチと、スイッチを操作する操作手段を設け、旋回体を吊り下げる吊り下げ部材を操作手段に連結することによって、別個にスイッチを有する制御部を設ける必要がなくなり、制御部の取り付け等の面倒がなく、制御部の部品点数が少ないので安価であり、しかも吊り下げ部材により操作を簡単に行うことができる旋回装置を提供することを目的とする。
【０００６】
【課題を解決するための手段】
本願請求項１記載の旋回装置は、上記目的を達成するため、下記の手段を有する。
（イ）基板と、基板に回動自在に設けられた回転ケースとからなること。
（ロ）基板には太陽歯車が固定して設けられていること。
（ハ）回転ケースには、基板に固定して設けられた太陽歯車と噛み合う遊星歯車と、遊星歯車を回転させる駆動モータと、駆動モータに電気を供給する電源部と、駆動モータの駆動・停止を制御するスイッチと、スイッチを操作する操作手段とが設けられていること。
（ニ）さらに回転ケースには、旋回体を吊り下げる一対の吊り下げ部材が設けられていること。
（ホ）一方の吊り下げ部材は、旋回体の前部に連結され、他方の吊り下げ部材は、旋回体の後部に連結されており、旋回体が略水平に吊り下げられていること。
（ヘ）一方又は他方の吊り下げ部材が操作手段に連結されていること。
【０００７】
【発明の実施の形態】
本願発明に係る旋回装置の一つの実施の形態を、図１乃至図３に基づいて説明する。図１は、旋回装置の全体分解斜視図である。図２は、旋回装置の基板を外した状態の平面図である。図３は、旋回装置の側面断面図である。
【０００８】
旋回装置１は、基板２と、基板２に回動自在に設けられた回転ケース１０とからなり、基板２には太陽歯車３が固定して設けられ、回転ケース１０には、基板２に固定して設けられた太陽歯車３と噛み合う遊星歯車３３と、遊星歯車３３を回転させる駆動モータ２０と、駆動モータ２０に電気を供給する電源部４９と、駆動モータ２０の駆動・停止を制御するスイッチ４２と、スイッチ４２を操作する操作手段４４とが設けられており、さらに回転ケース１０には旋回体５０を吊り下げる吊り下げ部材５２，５３が設けられ、吊り下げ部材５２が操作手段４４に連結されている。
【０００９】
旋回装置１について詳細に説明する。基板２は、合成樹脂によって円板状に形成され、下面２ａの略中心に太陽歯車３が接着剤、ネジ等により固定して設けられている。太陽歯車３の略中心には、中心軸５が一体に形成されている。中心軸５は、下部に段部５ａが形成され、下端にネジ穴５ｂが形成されている。また、基板２の周囲３カ所には、等間隔でネジ通し孔７・・が形成されている。
【００１０】
回転ケース１０は、合成樹脂によって形成され、円形の底壁１１と、底壁１１の周囲に設けられた周壁１２とからなる。底壁１１の略中心には、円筒状の軸受けボス１３が突設形成されている。軸受けボス１３は、前記基板２の中心軸５を回動自在に軸受けする軸受け孔１５と、中心軸５の段部５ａを係合する係合突縁１６を有する。
【００１１】
回転ケース１０の底壁１１には、駆動モータ２０の駆動軸２１の軸心が上下方向に向くようにして、駆動モータ２０が設けられている。駆動モータ２０の両側には、支軸２２，２３が設けられている。支軸２２，２３の上端には、軸受け板２５がネジ２６，２６によって取り付けられている。この軸受け板２５には、駆動モータ２０の駆動軸２１を回動自在に軸受けする軸受け穴２７が形成されている。軸受け板２５の軸受け穴２７から突出する駆動軸２１には、小プーリ２９が取り付けられている。
【００１２】
回転ケース１０の底壁１１には、軸受けボス３０が突設され、軸受けボス３０に大プーリ３１を固設した回転軸３２が回動自在に取り付けられている。大プール３１から突出する回転軸３２の上部には、遊星歯車３３が固定して取り付けられている。大プーリ３１と小プーリ２９には、輪ゴム等のゴムベルト３５が巻き掛けられている。なお、遊星歯車３３は、前記太陽歯車３と噛み合うようになっている。
【００１３】
回転ケース１０の底壁１１には、一対の支柱３８，３９が固定して設けられ、一対の支柱３８，３９の上端に取付板４０がネジ４１，４１によって取り付けられている。取付板４０には、プッシュ式スイッチ４２が設けられている。スイッチ４２には、図示しない弾性部材によって付勢された押しボタン部４２ａが設けられている。
【００１４】
また、回転ケース１０の底壁１１であって、一対の支柱３８，３９の近傍には、ガイド筒４３が設けられている。このガイド筒４３には、摺動軸４５が摺動自在に設けられている。摺動軸４５の上部には、前記スイッチ４２の押しボタン部４２ａに当接する当接板４７が設けられている。摺動軸４５は、下部が底壁１１から突出し、この突出下部に取付穴４６が形成されている。この摺動軸４５と当接板４７によって操作手段４４が構成されている。回転ケース１０の底壁１１には、電池を収容する電池ボックス４９が設けられている。この電池ボックス４９内の電池と駆動モータ２０とスイッチ４２が電気的に接続され、電気回路を構成している。
【００１５】
５０は、飛行機形状の旋回体であって、胴部５１の前後が、紐状の吊り下げ部材５２、５３の下端に連結されて、吊り下げ部材５２，５３によって吊り下げられている。胴部５１の後部側に連結された吊り下げ部材５２の上部は、前記摺動軸４５の取付穴４６に差し込まれて連結されている。胴部５１の前部側に連結された吊り下げ部材５３の上部は、回転ケース１０の底壁１１下面に固定して設けられた連結片５５の取付穴５６に差し込まれて連結されている。なお、旋回体５０は、飛行機形状に限定されるものではなく、人形体形状であっても構わない。旋回体５０の重さにより、吊り下げ部材５２を介して摺動軸４５が下方に引っ張られ、当接板４７がスイッチ４２の押しボタン部４２ａを押し下げようとするが、スイッチ４２内部の図示しない弾性部材の弾性がこの押し下げようとする力より強く、旋回体５０の重さでは押しボタン部４２ａが押し下げられないようになっている。
【００１６】
旋回装置１は、上記構成を有し、基板２の中心軸５を、回転ケース１０の軸受けボス１３の軸受け孔１５に差し込むと、基板２の太陽歯車３に回転ケース１０の遊星歯車３３が噛み合い、中心軸５の段部５ａが軸受けボス１３の係合突縁１６に係合し、中心軸５の下端に形成されたネジ穴５ｂにネジ９をねじ込むことによって、基板２に回転ケース１０が回動自在に取り付けられる。基板２を天井等の所定の場所にネジ８、接着剤、接着テープ等によって固定する。ネジ８の場合は、基板２に形成されたネジ通し孔７にネジ８を通してからこのネジ８を天井等の所定場所にねじ込むことによって、基板２を天井等に固定することができる。
【００１７】
旋回装置１は、天井に取り付けられると、旋回体５０が吊り下げ部材５２，５３によって吊り下げられることになる。吊り下げ部材５２を下方に引っ張ると、摺動軸４５が下方に移動し、摺動軸４５の上端に設けられた当接板４７がスイッチ４２の押しボタン部４２ａを押し下げ、スイッチ４２がＯＮとなる。吊り下げ部材５２の下方への引っ張りを解除すると、スイッチ４２内部の弾性部材の弾性により押しボタン部４２ａが元の位置に復帰する。スイッチ４２がＯＮになると、駆動モータ２０が駆動し、駆動軸２１が回転し、駆動軸２１に設けられた小プーリ２９も回転する。この小プーリ２９の回転は、ゴムベルト３５によって大プーリ３１に伝達され、大プーリ３１及び遊星歯車３３が回転する。
【００１８】
基板２及び太陽歯車３は、固定されているので、遊星歯車３３は、回転すると太陽歯車３の周りを旋回する。遊星歯車３３は、回転ケース１０に取り付けられているので、回転ケース１０も、基板２の中心軸５を中心として回転する。回転ケース１０が回転すると、これに吊り下げ部材５２，５３によって吊り下げられている旋回体５０が旋回を始める。
【００１９】
旋回装置１は、旋回体５０の旋回中に、吊り下げ部材５２を下方に引っ張ると、摺動軸４５が下方に移動し、摺動軸４５の上端に設けられた当接板４７がスイッチ４２の押しボタン部４２ａを押圧し、スイッチ４２がＯＦＦとなる。吊り下げ部材５２の下方への引っ張りを解除すると、スイッチ４２内部の弾性部材の弾性により押しボタン部４２ａが元の位置に復帰する。スイッチ４２がＯＦＦになると、駆動モータ２０の駆動が停止し、駆動軸２１、小プーり２９、ゴムベルト３５、大プーリ３１、遊星歯車３３の回転が停止し、回転ケース１０も回転を停止する。このように、旋回装置１は、旋回体５０を吊り下げている吊り下げ部材５２を引っ張るだけで、旋回体５０を旋回させたり、停止させたりすることができる。
【００２０】
なお、旋回装置１は、回転ケース１０内にメロディＩＣ等の発音部材を設け、この発音部材を前記電池ボックス４９内の電池と駆動モータ２０とスイッチ４２に電気的に接続して電気回路を構成し、駆動モータ２０の駆動、即ち回転ケース１０の回転と同時に発音させるようにしても構わない。また、回転ケース１０の周壁１２に複数のＬＥＤ等の発光素子を設け、この発光素子を前記電池ボックス４９内の電池と駆動モータ２０とスイッチ４２に電気的に接続して電気回路を構成し、駆動モータ２０の駆動、即ち回転ケース１０の回転と同時に発光又は点滅させて、文字や絵等を浮かび上がらせるようにしても構わない。
【００２１】
さらに又、吊り下げ部材５２，５３を光伝達部材で構成し、回転ケース１０内にこの吊り下げ部材５２，５３に光を伝達させる発光部材を設け、この発光部材を前記電池ボックス４９内の電池と駆動モータ２０とスイッチ４２に電気的に接続して電気回路を構成し、駆動モータ２０の駆動、即ち回転ケース１０の回転と同時に発光部材を発光又は点滅させて、吊り下げ部材５２，５３自体を発光又は点滅させることができる。
【００２２】
さらに又、吊り下げ部材５２，５３を可撓性合成樹脂パイプで形成し、この吊り下げ部材５２，５３内に導電線を設け、この吊り下げ部材５２，５３に吊り下げられる旋回体５０内にメロディＩＣ等の発音部材、ＬＥＤ等の発光素子、プロペラ等を回転させる回転モータを設け、この発音部材、発光素子、回転モータを導電線の一方に接続し、導電線の他方を前記電池ボックス４９内の電池と駆動モータ２０とスイッチ４２に電気的に接続して電気回路を構成し、駆動モータ２０の駆動、即ち回転ケース１０の回転と同時に旋回体５０の発音部材の発音、発光素子の発光又は点滅、回転モータの回転をさせるようにしても構わない。なお、吊り下げ部材５２，５３に電気コードを巻き付け、この電気コードにより旋回体５０の電気部品と回転ケース１０の電気回路を接続しても構わない。
【００２３】
【発明の効果】
以上説明してきたように、請求項１記載の旋回装置は、基板と、基板に回動自在に設けられた回転ケースとからなり、基板には太陽歯車が固定して設けられ、回転ケースには、基板に固定して設けられた太陽歯車と噛み合う遊星歯車と、遊星歯車を回転させる駆動モータと、駆動モータに電気を供給する電源部と、駆動モータの駆動・停止を制御するスイッチと、スイッチを操作する操作手段とが設けられており、さらに回転ケースには旋回体を吊り下げる吊り下げ部材が設けられ、吊り下げ部材が操作手段に連結されているので、旋回体を吊り下げている吊り下げ部材によって、駆動モータの駆動・停止を制御するスイッチを操作することができ、旋回体を旋回させたり、停止させたりすることができ、操作が簡単であるという効果がある。また、旋回体を旋回させる駆動モータの制御部を別個に設ける必要がなくなり、制御部の取り付け等の面倒がなく、制御部の部品点数が少ないので安価であるという効果がある。
【００２４】
請求項１記載の旋回装置は、回転ケースの回転によって、吊り下げ部材を介して旋回体を引っ張るように旋回させるので、旋回体内部に旋回するための動力源を必要とせず、旋回体をコンパクト且つ軽量に製造することができ、基板にかかる負担を小さくすることができるという効果がある。また、旋回体を旋回させる回転ケース内に電源部が設けられているので、この電源部を利用して、回転ケースに発光素子、発音部材を設け、回転ケースの回転と同時に発光・点滅させたり、発音させたりすることができ、興趣ある旋回装置にすることができるという効果がある。さらに吊り下げ部材に導電線を設け、旋回体に発音部材、発光素子、回転モータ等の電気部品を組み込み、この電気部品と回転ケース内の電源部を導電線によって接続することにより、回転ケースの回転、即ち旋回体の旋回と同時に旋回体の電気部品を駆動させることができるという効果がある。
【図面の簡単な説明】
【図１】本願発明に係る旋回装置の一つの実施の形態を示す全体分解斜視図である。
【図２】上記旋回装置の基板を外した状態の平面図である。
【図３】上記旋回装置の側面断面図である。
【符号の説明】
１  旋回装置
２  基板
２ａ  下面
３  太陽歯車
５  中心軸
５ａ  段部
５ｂ  ネジ穴
７  ネジ通し孔
８  ネジ
９  ネジ
１０  回転ケース
１１  底壁
１２  周壁
１３  軸受けボス
１５  軸受け孔
１６  係合突縁
２０  駆動モータ
２１  駆動軸
２２  支軸
２３  支軸
２５  軸受け板
２６  ネジ
２７  軸受け穴
２９  小プーリ
３０  軸受けボス
３１  大プーリ
３２  回転軸
３３  遊星歯車
３５  ゴムベルト
３８  支柱
３９  支柱
４０  取付板
４１  ネジ
４２  スイッチ
４２ａ  押しボタン部
４３  ガイド筒
４４  操作手段
４５  摺動軸
４６  取付穴
４７  当接板
４９  電池ボックス（電源部）
５０  旋回体
５２  吊り下げ部材
５３  吊り下げ部材
５５  連結片
５６  取付穴
【図１】
0003771185.tif 000002
【図２】
0003771185.tif 000003
【図３】
0003771185.tif 000004